(57)【要約】【課題】浴槽フランジの前垂れ部と浴室の壁面との隙間に目地材が配置されても目地材の復元力で目地材が浮かないようにした目地具とその取付構造を提供する。【解決手段】目地具のうち可撓性の目地材３０において、浴槽フランジの前垂れ部と浴室の壁面との間に差し込まれる差込部３２に、係留部材６０としてのテープ材４０を挿入するための挿入部３５を設ける。テープ材４０が挿入部３５に挿入されてテープ材４０の一端部が差込部３２と係合し、テープ材４０が浴室の壁面又は浴槽１２の外周面と係合することにより、目地材３０の曲げ状態が保持される。【選択図】図６
2015208653.tif 000002
【特許請求の範囲】
【請求項１】
可撓性を有し、浴槽フランジと前記浴槽フランジに近接する浴室の壁面との隙間に差し込まれる目地材と、前記目地材を係留する係留部材とを備え、
前記浴槽フランジのうち、洗い場に面するように垂下した前垂れ部と前記浴室の壁面との間に挿入される前記目地材の差込部に、前記係留部材を係合させるための挿入部が設けられ、
前記係留部材の一端部が前記挿入部に挿入されて前記差込部と係合し、他端部が前記浴室の壁面又は前記浴槽の外周面と係合する、目地具。
【請求項２】
前記差込部には弾性接着剤により形成される弾性接着部が備えられ、該弾性接着部により前記差込部と前記前垂れ部とを接着する、請求項１に記載の目地具。
【請求項３】
請求項１又は２に記載の目地具の取付構造であって、
前記目地材の差込部が浴槽フランジと前記浴槽フランジに近接する浴室の壁面との隙間に配置されており、
前記浴槽フランジの上面から前記浴槽フランジのうち洗い場に面するように垂下した前垂れ部に沿うように前記目地材が曲げられ、前記目地材の差込部が前記浴槽フランジの前垂れ部と前記浴室の壁面との間に配置されており、
前記係留部材の一端部が前記目地材の差込部と係合し、他端部が前記浴室の壁面又は前記浴槽の外周面と係合し、前記目地材の曲げ状態が保持されている、目地具の取付構造。
【発明の詳細な説明】
【技術分野】
【０００１】
本発明は、目地具とその取付構造に係り、詳細には、浴槽の前垂れ部と浴室の壁面との隙間を簡易に目地仕上げ可能な目地具とその取付構造に関する。
【背景技術】
【０００２】
浴槽フランジと浴室の壁面との隙間に目地材が配置され、その隙間に水などが進入しないようにしている。例えば特許文献１の目地材では、断面ほぼＹ字状の長尺の基材の頂部に帯材を一体に付設し、基材の中間部両側に断面テーパ状の逆駒羽根が一体に設けられている。
【先行技術文献】
【特許文献】
【０００３】
【特許文献１】特開平２−２１５４２４号公報
【発明の概要】
【発明が解決しようとする課題】
【０００４】
特許文献１に開示された目地材は塩化ビニル樹脂で一体成形されているため、目地材は可撓性を有する。そのため、浴槽フランジの上面から洗い場に垂下する前垂れ部に沿って目地材を短手方向に曲げることはできるが、目地材が可撓性を有するため復元力で目地材が浴槽フランジから浮いてしまう。
【０００５】
そこで、本発明は、浴槽フランジの前垂れ部と浴室の壁面との隙間に目地材が配置されても、目地材の復元力で目地材が浮かないようにした目地具とその取付構造を提供することを目的とする。
【課題を解決するための手段】
【０００６】
前記目的を達成するため、本発明の目地具は、可撓性を有し、浴槽フランジと前記浴槽フランジに近接する浴室の壁面との隙間に差し込まれる目地材と、前記目地材を係留する係留部材とを備え、前記浴槽フランジのうち、洗い場に面するように垂下した前垂れ部と前記浴室の壁面との間に挿入される前記目地材の差込部に、前記係留部材と係合するための挿入部が設けられ、前記係留部材の一端部が前記挿入部に挿入されて前記差込部と係合し、他端部が前記浴室の壁面又は前記浴槽の外周面と係合する。ここで、浴槽フランジとは、浴槽の上縁から延出する鍔部を含む。
【０００７】
本発明の目地具において、好ましくは、差込部には弾性接着剤により形成される弾性接着部が配置され、差込部と前垂れ部とが接着される。
【０００８】
本発明は、前記目地具の取付構造であって、前記目地材の差込部が浴槽フランジと前記浴槽フランジに近接する浴室の壁面との隙間に配置されており、前記浴槽フランジの上面から前記浴槽フランジのうち洗い場に面するように垂下した前垂れ部に沿うように前記目地材が曲げられ、前記目地材の差込部が前記浴槽フランジの前垂れ部と前記浴室の壁面との間に配置されており、前記係留部材の一端部が前記目地材の差込部と係合し、他端部が前記浴室の壁面又は前記浴槽の外周面と係合し、前記目地材の曲げ状態が保持される。
【発明の効果】
【０００９】
本発明によれば、浴槽フランジの前垂れ部と浴室の壁面との間に目地材が配置されても、目地材の差込部に挿入部が設けられているため、係留部材の一端部が挿入部と係合し、他端部が浴室の壁面又は浴槽の外周面と係合することで、目地材の復元力を抑止しつつ係留部材が目地材の差込部を浴室の壁面又は浴槽に係留することができる。従って目地材の取付に際して目地材を曲げても目地材の復元力で目地材が浮かず、浴槽フランジと浴室の壁面との隙間を効率良く埋めることができる。
【図面の簡単な説明】
【００１０】
【図１】本発明の実施形態に係る目地具が取り付けられた浴室を示す斜視図である。
【図２】本発明の実施形態に係る目地具のうち目地材の正面図である。
【図３】図２に示す目地材のＡ−Ａ線に沿う端面図である。
【図４】図２に示す目地材のＢ−Ｂ線に沿う端面図である。
【図５】本発明の実施形態に係る目地具のうち係留部材の正面図である。
【図６】本発明の実施形態に係る目地具が浴槽フランジと浴室の壁面との隙間に取り付けられた状態を示す図である。
【図７】図６におけるＣ−Ｃ線に沿う端面図である。
【発明を実施するための形態】
【００１１】
以下、図面を参照して本発明の実施形態を説明する。本実施形態に係る目地具１は、図１に示すような浴室１０に取り付けられて使用される。浴室１０では、左右の壁面１１Ａ，１１Ｂの間に浴槽１２が設けられ、浴槽１２の奥の壁面１１Ｃ側には窓１３が設けられている。左の壁側には浴室１０への出入り用の扉１４が設けられている。右の壁面１１Ｂには鏡１５が取り付けられ、鏡１５の隣には収納部１６が取り付けられ、鏡１５の上には照明具１７が取り付けられ、鏡１５の下にはカウンター１８が設けられ、水栓１９が設けられている。浴室１０にはシャワーなども設けられるが図示していない。
【００１２】
浴槽フランジ１２Ａは上面前端から洗い場に面するように垂下した前垂れ部１２Ｂを有しており、前垂れ部１２Ｂの下端と浴床２０との間にはエプロン２１が取り付けられている。浴槽フランジ１２Ａと左の壁面１１Ａ，右の壁面１１Ｂ，奥の壁面１１Ｃとの間には隙間が生じ、その隙間に目地具１が取り付けられている。
【００１３】
目地具１は、図６に示すように、目地材３０と係留部材６０を備える。目地材３０は、図２乃至図４に示すような覆い部３１と差込部３２とを備える。覆い部３１は三角形状の断面を有し、断面三角形状は、略水平裏面３１Ａと、略水平裏面内端から外側に向けて上方に傾斜した表面３１Ｂと、略水平裏面外端から表面外端に向けて上方に傾斜した傾斜裏面３１Ｃとで囲まれている。
【００１４】
目地材３０は、図２に示すように帯形状を有しており、浴槽フランジ１２Ａの上面と壁面との隙間を埋めるだけでなく、浴槽フランジ１２Ａの前垂れ部１２Ｂと壁面との隙間を埋めるものである。目地材３０は差込部３２の長手方向一端側で短手方向に曲げられるようにすることが好ましい。そのため、目地材３０の端部３３よりも長手方向内側の差込部３２には複数の切欠部３４が設けられるとよい。すなわち、浴槽フランジ１２Ａの上面と前垂れ部１２Ｂの境界付近に対応する差込部３２に、複数の切欠部３４が設けられると好ましい。
【００１５】
差込部３２は、弾性を有し、図２に示すように帯状に形成され、覆い部３１の例えば傾斜裏面３１Ｃから垂下している。差込部３２は、図３に示すように断面が直線状の基部３２Ａと基部３２Ａの先端から湾曲して延出する脚部３２Ｂとからなる。脚部３２Ｂは、その先端が目地材３０の外側に位置するように湾曲している。このため、差込部３２が浴槽フランジ１２Ａと壁面との隙間に差し込まれた際、脚部３２Ｂの先端が壁面に当接し、基部３２Ａを浴槽フランジ１２Ａに押し当てることができる。また、図６に示すように前垂れ部１２Ｂと壁面との隙間に差し込まれる差込部３２は、基部３２Ａだけで構成されている。すなわち、湾曲した脚部３２Ｂが設けられていない。このため、目地材３０が前垂れ部１２Ｂの前面と壁面との隙間に差し込まれた状態で、基部３２Ａとエプロン２１とが干渉することを防ぐことができる。ここで、目地材３０の外側とは、目地材３０を浴槽フランジ１２Ａと壁面との間に差し込んだ状態で、壁面側のことを言い、内側とは、浴槽フランジ側のことを言う。
【００１６】
差込部３２は、基部３２Ａにおいて、フランジ側内面から突出した突部３２Ｃと、基部３２Ａのフランジ側内面で斜め下方に延びる弾性ヒレ部３２Ｄと、基部３２Ａの壁側外面で斜め上方に延びる二つの弾性ヒレ部３２Ｅ，３２Ｆとを備える。何れの弾性ヒレ部３２Ｄ，３２Ｅ，３２Ｆも基部３２Ａ側の方が太く先端になる程細くなっている。内面の弾性ヒレ部３２Ｄは外面の二つの弾性ヒレ部３２Ｅ，３２Ｆよりも短い。
【００１７】
弾性ヒレ部３２Ｄと弾性ヒレ部３２Ｅとはほぼ同じ高さで基部３２Ａを挟んでほぼ対峙する位置に設けられ、突部３２Ｃと弾性ヒレ部３２Ｆとは基部３２Ａを挟んでほぼ対峙する位置に設けられ、突部３２Ｃ、弾性ヒレ部３２Ｄ，３２Ｅ，３２Ｆの何れも長手方向に同じ高さに設けられている。このように構成すると、目地材３０を押出成形により容易に製造することができる。
【００１８】
目地材３０は、熱可塑性樹脂で成形され、覆い部３１と弾性ヒレ部３２Ｄ，３２Ｅ，３２Ｆを軟質材で、基部３２Ａを硬質材で、二色成形で製造される。軟質材としてはメチルメタクリレートが用いられ、硬質材としてはアクリロニトリル(Acrylonitrile)とブタジエン (Butadiene)とスチレン(Styrene)の共重合合成樹脂、アクリル樹脂などが用いられる。その他、目地材３０はオレフィン系エラストマーやスチレン系エラストマーなどで成形しても良い。
【００１９】
差込部３２の長手方向の端部３３において、基部３２Ａにはテープなどの係留部材６０の一端部を係合するための挿入部３５が設けられている。挿入部３５は図２に示すような無端の長穴が好ましく、図示のように突部３２Ｃと弾性ヒレ部３２Ｄとの間に設けられることが好ましい。突部３２Ｃと弾性ヒレ部３２Ｄで形成される凹部には、弾性接着剤が塗布されて固まることで弾性接着部５０が形成される。凹部に弾性接着剤を塗布することで、弾性接着剤を保持することができるので、目地材３０が取り付けられた状態で弾性接着層が基部３２Ａと前垂れ部１２Ｂとを接着することができる。また、弾性ヒレ部３２Ｅ、３２Ｆを設けることで、弾性ヒレ部３２Ｅ，３２Ｆの弾性力で基部３２Ａを浴槽フランジ１２Ａに押し付けると共に、基部３２Ａと壁面との間の止水性をより向上できる。挿入部３５は、基部３２Ａの先端に開口した鉤状であってもよく、目地材３０の端部に開口していてもよい。係留部材６０の種類に応じて適宜変更されてもよい。
【００２０】
係留部材６０にはテープ材４０が用いられる。図５に示すように、テープ材４０は矩形の貼付部４１の一辺から突出する片部４２を備えていることが好ましい。片部４２は、貼付部４１から先端に向けて幅が狭くなる台形状であるとよい。片部４２が図２に示す挿入部３５としての長穴に挿入されて片部同士が付着されることで、ループを形成し、係留部材６０としてのテープ材４０を差込部３２に係合させ易い。貼付部４１は、壁面又は浴槽に貼り付けられるので、貼付部４１は大きい面積を有することが好ましい。テープ材４０の裏面側には粘着層を有しており、剥離紙が取り付けられている。
【００２１】
テープ材４０は、耐久性及び破れにくさなどを考慮して、アルミ箔などの金属箔などの材質が用いられ、金属箔の裏面に粘着層が設けられる。弾性接着部５０が、少なくとも基部３２Ａと浴槽フランジ１２Ａの前垂れ部１２Ｂとの間で固定されるまでの期間、テープ材４０と壁面又は浴槽とが付着していればよく、粘着層は例えば０．１乃至０．３Ｎ／ｍｍ２以上の粘着力を有していればよい。
【００２２】
係留部材６０としてテープ材４０を用いることで、目地具１を構成する目地材３０、テープ材４０及び弾性接着部５０を取りはずすことも容易にでき、エプロン２１を外して配管や各種機器の交換などのメインテナンスを容易に行える。
【００２３】
図１に示すように、浴槽１２と左の壁面１１Ａ、浴槽１２と右の壁面１１Ｂ、浴槽１２と奥の壁面１１Ｃとの間の各隙間に目地材を取り付ける方法について説明する。
【００２４】
先ず、目地材を取り付ける各隙間の長さを測って、各目地材を測定値の長さに切断する。このとき、目地材３０の端部は、図６に示すように、浴槽フランジ１２Ａの端面と目地材３０の端面がほぼ同一面に位置するように切断する。その際、浴槽１２と奥の壁面１１Ｃとの隙間には切欠部や挿入部が設けられてない目地材を用い、浴槽１２と左の壁面１１Ａの間、浴槽１２と右の壁面１１Ｂの間の各隙間には、差込部３２に切欠部３４や挿入部３５を設けた図２乃至図４に示すような目地材３０を用いる。切欠部や挿入部が設けられていない目地材の両端に対して、挿入部３５が設けられた二本の目地材３０の逆側端を溶着して一体化してある。このように一体化した目地材を浴槽フランジ１２Ａと左の壁面１１Ａ、奥の壁面１１Ｃ及び右の壁面１１Ｂとの間の隙間に対向させる。
【００２５】
次に、図６に示すように浴槽フランジ１２Ａと右の壁面１１Ｂと隙間に目地材３０を挿入する。差込部３２の内面を浴槽フランジ１２Ａ側に向けて差込部３２を挿入する際、隙間に基部３２Ａの下端が挿入される前後何れかにおいて、弾性接着剤を突部３２Ｃと弾性ヒレ部３２Ｄとの間の凹部に間隔をあけずに塗布する。その際、基部３２Ａ側の突部３２Ｃと弾性ヒレ部３２Ｄとの間の凹部にも弾性接着剤を塗布する。その後、浴槽１２の奥側から洗い場側に向けて基部３２Ａを隙間に順に挿入する。
【００２６】
目地材３０を浴槽フランジ１２Ａの上面と右の壁面１１Ｂに挿入したあと、図６に示すように、目地材３０の切欠部３４に沿って短手方向に曲げる。切欠部３４よりも端部３３側に挿入部３５が設けられ、挿入部３５にはテープ材４０の片部４２が挿入されて折り返され、片部４２同士が接着している。そこで、目地材３０の端部３３側の基部３２Ａを浴槽フランジ１２Ａの前垂れ部１２Ｂと右の壁面１１Ｂとの間に挿入する。その後、前垂れ部１２Ｂと右の壁面１１Ｂとの隙間表面に沿って覆い部３１で密着して覆っていることを確認し、テープ材４０の貼付部４１の裏面の剥離紙を剥がし、貼付部４１を例えば右の壁面１１Ｂに貼り付ける。
【００２７】
ここで、目地材３０の基部３２Ａの内面に形成されている凹部の深さ幅が浴槽フランジ１２Ａの厚み幅より短くなるように設定されている。よって、目地材３０が浴槽フランジ１２Ａと右の壁面１１Ｂとの間に取り付けられた状態では、凹部と浴槽フランジ１２Ａとの間には略密閉した空間が形成され、その空間に弾性接着部５０が設けられ、浴槽フランジ１２Ａと差込部３２とが弾性接着部５０を介在して接着して固定される。このため、浴槽１２が上下方向に変位したとしても、目地材３０が浴槽１２に追従したり弾性接着部５０が変形したりするため、目地材３０が隙間から浮き上がらない。左の壁面１１Ａと浴槽フランジ１２Ａとの隙間にも同様に目地材３０が挿入され弾性接着部５０が設けられる。
【００２８】
この一連の作業により、浴槽フランジ１２Ａのうち洗い場に面するように垂下した前垂れ部１２Ｂと壁面との間に目地材３０の差込部３２が配置され、その差込部３２の端部３３の挿入部３５に、係留部材６０としてのテープ材４０の片部４２が挿入されており、テープ材４０の貼付部４１が壁面に貼り付けられる。よって、目地材３０の端部３３が曲げられ、前垂れ部１２Ｂと壁面との間に挿入される差込部が係留部材６０を介在して壁面に引っ張られている。そのため、目地材３０が可撓性を有することで目地材３０の曲げ部分が復元力によって元の直線状の状態に戻らず、目地材３０が前垂れ部１２Ｂから離れず浮きを防止できる。このように、テープ材４０の一端部が目地材３０の差込部３２と係合し、テープ材４０の他端部が浴室の壁に固定され、以て係留部材６０により目地材３０の曲げ状態が保持される。
【００２９】
また、作業者が基部３２Ａの凹部に弾性接着剤を塗布し、弾性接着剤で基部３２Ａと浴槽フランジ１２Ａとの間の略密閉空間を固めることで、弾性接着部５０が形成される。弾性接着部５０の状態が安定するまで少なくとも数時間から数日かかるが、浴槽フランジ１２Ａの前垂れ部１２Ｂに沿って目地材３０を曲げて目地材３０が取り付けられても、目地材３０の可撓性による浴槽フランジ１２Ａからの浮きを防止することができる。よって、浴槽フランジ１２Ａと浴室の壁面との隙間を効率良く目地仕上げすることができる。
【００３０】
本発明の実施形態は前述した例に限らず適宜変更する形態も含まれる。
前述では、係留部材６０としてのテープ材４０の他端部が浴槽の壁に固定されるようにしたが、テープ材４０の他端側が浴槽の外周面に固定されてもよい。
【００３１】
係留部材６０としてはテープ材４０に限らず、ワイヤー、紐などの線条部材であってもよい。この場合、線条部材の一端側にフックなどの爪部を設けておけば、目地材３０の差込部３２の挿入部３５を図２に示すように長穴の形状にすることなく、差込部３２に爪部を引っ掛けられ易い形状としてもよい。
【符号の説明】
【００３２】
１：目地具，１０：浴室，１１Ａ，１１Ｂ，１１Ｃ：壁面，１２：浴槽，１２Ａ：浴槽フランジ，１２Ｂ：前垂れ部，２１：エプロン，３０：目地材，３１：覆い部，３２：差込部，３２Ａ：基部，３４：切欠部，３５：挿入部，４０：テープ材，５０：弾性接着部，６０：係留部材
【図１】
2015208653.tif 000003
【図２】
2015208653.tif 000004
【図３】
2015208653.tif 000005
【図４】
2015208653.tif 000006
【図５】
2015208653.tif 000007
【図６】
2015208653.tif 000008
【図７】
2015208653.tif 000009